(57)【要約】【課題】強度および成形性の向上を図りながら、軽量化の実現を図ることができる魚釣用リールを提供する。【解決手段】リール本体１の側部に取り付けられるカバー部材３ｂの内面において、少なくとも支持部３０１，３０２の周囲には、リブで囲われる複数の区画部３０３〜３０５が形成されており、リブは、支持部３０１，３０２を中心として放射方向に延びる第一リブ３１と、第一リブ３１に連続し、第一リブ３１と角度を有して延びる第二リブ３２と、を備えており、放射方向に隣接する区画部３０４（３０５）において、第一リブ３１同士は、離間配置されており、第二リブ３２を介して接続されている構成とした。【選択図】図４
2016208860.tif 000002
【特許請求の範囲】
【請求項１】
リール本体の側部に取り付けられるカバー部材と、
前記リール本体に取り付けられる軸部材と、
前記カバー部材に設けられ、前記軸部材が挿通される支持部と、を備えた魚釣用リールであって、
前記カバー部材の内面において、少なくとも前記支持部の周囲には、リブで囲われる複数の区画部が形成されており、
前記リブは、
前記支持部を中心として放射方向に延びる第一リブと、
前記第一リブに連続し、前記第一リブと角度を有して延びる第二リブと、を備えており、
前記放射方向に隣接する前記区画部において、
前記第一リブ同士は、離間配置されており、前記第二リブを介して接続されていることを特徴とする魚釣用リール。
【請求項２】
前記カバー部材は合成樹脂で形成されていることを特徴とする請求項１に記載の魚釣用リール。
【請求項３】
前記カバー部材は、両軸受け型リールの側板であり、
前記支持部は、前記カバー部材に二つ備っており、
一方の前記支持部にはピニオン軸またはスプール軸が挿通され、他方の前記支持部にはハンドル軸が挿通されることを特徴とする請求項１または請求項２に記載の魚釣用リール。
【請求項４】
前記リブが形成される部分の前記カバー部材の厚みをＤ１、前記カバー部材の縁部の厚みをＤ２、前記区画部の底部の厚みをＤ３としたときに、これらの関係が、
Ｄ１＞Ｄ２＞Ｄ３
であることを特徴とする請求項１から請求項３のいずれか１項にに記載の魚釣用リール。
【請求項５】
前記区画部の深さは、前記カバー部材の肉厚の２０〜５０％であり、
前記リブの幅は、前記カバー部材の肉厚の５０〜８０％であることを特徴とする請求項１から請求項４のいずれか１項に記載の魚釣用リール。
【発明の詳細な説明】
【技術分野】
【０００１】
本発明は、魚釣用リールに関する。
【背景技術】
【０００２】
従来、魚釣用リールとして、両軸受け型タイプのものが知られている。魚釣用リールは、スプールを回転駆動するハンドルを左右の一方の側に備えている。リール本体のフレームにはカバー部材が取り付けられている。ハンドルが備わる側のフレームとカバー部材との間には、空間が形成されている。この空間には、ハンドルの回転駆動力をスプール軸に伝達する公知の駆動力伝達機構が配設されている。駆動力伝達機構は、ハンドル軸や、スプールに連結されるピニオン軸等を備えている（例えば、特許文献１参照）。
【０００３】
カバー部材には、ハンドル軸が挿通される支持部や、ピニオン軸が支持される支持部が設けられている。これらの支持部は、肉厚に形成されており、強度アップが図られている。
【先行技術文献】
【特許文献】
【０００４】
【特許文献１】特開２０１２−４４９６７号
【発明の概要】
【発明が解決しようとする課題】
【０００５】
ところで、カバー部材は、強度を確保しつつ成形性の向上を図るために、肉厚を均等に設計することが行われている。特に、カバー部材が合成樹脂成形品である場合には、肉厚を均等化することで、成形収縮によるヒケ（凹み、窪み）の発生を抑制している。しかしながら、肉厚の均等化は、強度に対する寄与度の低い部分に対して余肉をつけることとなり、その結果、重量が増加する要因となっている。重量の増加は、魚釣用リールにおける軽快な巻き取り操作の実現を図る上で、マイナスの要素である。このため、これを改善したいという要望があった。
【０００６】
本発明は、上記した問題に着目してなされたものであり、カバー部材の強度および成形性の向上を図りながら、軽量化の実現を図ることができる魚釣用リールを提供することを目的とする。
【課題を解決するための手段】
【０００７】
上記した目的を達成するために、リール本体の側部に取り付けられるカバー部材と、前記リール本体に取り付けられる軸部材と、前記カバー部材に設けられ、前記軸部材が挿通される支持部と、を備えた魚釣用リールであって、前記カバー部材の内面において、少なくとも前記支持部の周囲には、リブで囲われる複数の区画部が形成されており、前記リブは、前記支持部を中心として放射方向に延びる第一リブと、前記第一リブに連続し、前記第一リブと角度を有して延びる第二リブと、を備えており、前記放射方向に隣接する前記区画部において、前記第一リブ同士は、離間配置されており、前記第二リブを介して接続されていることを特徴とする。
【０００８】
本発明の魚釣用リールによれば、リブで囲われる複数の区画部によって、支持部の周りの強度を確保することができる。また、支持部の周りの強度を確保することができるので、カバー部材を薄肉に形成することができる。この場合、カバー部材の内面の略全体に区画部を形成することによって、カバー部材の薄肉化をより効果的に図ることができる。
また、隣接する区画部において、リブを構成する第一リブ同士は、離間配置されており、第二リブを介して接続されている。これにより、支持部を中心とする放射方向に応力を好適に分散することができる。
【０００９】
また、本発明は、前記カバー部材が合成樹脂で形成されていることを特徴とする。この構成では、リブで囲われる複数の区画部によって、成形収縮によるヒケ（凹み、窪み）の発生を好適に抑制することができる。
【００１０】
また、本発明は、前記カバー部材は、両軸受け型リールの側板であり、前記支持部は、前記カバー部材に二つ備っており、一方の前記支持部にはピニオン軸（の端部）またはスプール軸（の端部）が挿通され、他方の前記支持部にはハンドル軸が挿通されることを特徴とする。この構成では、ピニオン軸やスプール軸、およびハンドル軸をカバー部材で好適に支持することができる。
【００１１】
また、本発明は、前記リブが形成される部分の前記カバー部材の厚みをＤ１、前記カバー部材の縁部の厚みをＤ２、前記区画部の底部の厚みをＤ３としたときに、これらの関係が、Ｄ１＞Ｄ２＞Ｄ３であることを特徴とする。この構成では、リブが存在する箇所では、リブの厚み分だけ厚肉とすることができる。
【００１２】
また、本発明は、前記区画部の深さは、前記カバー部材の肉厚の２０〜５０％であり、前記リブの幅は、前記カバー部材の肉厚の５０〜８０％であることを特徴とする。区画部の深さおよびリブの幅をこのような範囲に設定することが、成形作業の容易さおよび強度の観点から望ましく、支持部周りの強度が増大する。
【発明の効果】
【００１３】
本発明によれば、支持部の周りの強度を確保することができるとともに、カバー部材を薄肉に形成することができる。したがって、カバー部材の強度および成形性の向上を図りながら、軽量化の実現を図ることができる魚釣用リールが得られる。また、第一リブ同士が第二リブを介して接続されており、支持部を中心とする放射方向に応力が分散されるので、カバー部材の強度の低下を好適に防止することができる。
【００１４】
また、カバー部材が合成樹脂で形成されている場合に、成形収縮によるヒケ（凹み、窪み）の発生を好適に抑制することができるので、カバー部材として必要な強度を容易に確保することができる。したがって、強度および成形性の向上を図りながら、軽量化の実現を図ることができる魚釣用リールが得られる。
【００１５】
また、ピニオン軸の端部またはピニオンを挿通するスプール軸の端部（延設部）、およびハンドル軸をカバー部材で好適に支持することができるので、操作性の向上を図ることができる魚釣用リールが得られる。
【００１６】
また、リブが形成される部分のカバー部材の厚みをＤ１、カバー部材の縁部の厚みをＤ２、区画部の底部の厚みをＤ３としたときに、これらの関係が、Ｄ１＞Ｄ２＞Ｄ３である構成では、リブが存在する箇所を、リブの厚み分だけ厚肉とすることができるので、カバー部材を全体的に薄肉に形成しつつ、強度を確保することができる。また、カバー部材が合成樹脂で形成されている場合に、成形時に溶湯が他の部位に比して厚肉なリブによって容易に流動し、成形性が向上する。
【００１７】
また、区画部の深さがカバー部材の肉厚の２０〜５０％、リブの幅がカバー部材の肉厚の５０〜８０％である構成では、支持部周りの強度が増大するので、カバー部材の変形をより好適に抑制することができる。
【図面の簡単な説明】
【００１８】
【図１】本発明の一実施形態に係る魚釣用リールを示し、釣糸案内体部分を露出させた平面図である。
【図２】図１に示す魚釣用リールにおいて、クラッチ機構の動力伝達部分の構成を示す側面図である。
【図３】（ａ）は図１に示す魚釣用リールの右側面図、（ｂ）は右カバー部材の右側面図である。
【図４】右カバー部材の内面の構造を示す側面図である。
【図５】右カバー部材の内面の構造を示す斜視図である。
【図６】（ａ）は図４のＡ−Ａ線拡大端面図、（ｂ）は基準肉厚のカバー部材を示す図であり、（ａ）に相当する拡大端面図である。
【発明を実施するための形態】
【００１９】
以下、本発明に係る魚釣用リールの実施形態について図面を参照して説明する。なお、以下の説明において、「前後」「左右」を言うときは、図１に示した方向を基準とし、「上下」を言うときは、図２，図３に示した方向を基準とする。
【００２０】
（第１実施形態）
本実施形態に係る魚釣用リールは、図１に示すように、左右側板１Ａ，１Ｂを備えたリール本体１を有している。左右側板１Ａ，１Ｂは、左右のフレーム２ａ，２ｂを左右カバー部材３ａ，３ｂで覆って構成される。リール本体１には、左右側板１Ａ，１Ｂ間に位置し、図示しない釣竿に装着されるリール脚１Ｃが一体形成されている。また、左右のフレーム２ａ，２ｂ間には、スプール軸５が軸受を介して回転可能に支持されており、スプール軸５には、釣糸Ｓが巻回されるスプール５Ａが一体的に固定されている。
【００２１】
本実施形態では、スプール５Ａを回転駆動するハンドル８を右側板１Ｂ側に設置している。右フレーム２ｂと右カバー部材３ｂとの間には空間が形成され、この空間には、ハンドル８の回転駆動力をスプール軸５に伝達する公知の駆動力伝達機構１０が配設されている。また、右フレーム２ｂと右カバー部材３ｂとの間には、スプール軸５を動力伝達状態と動力遮断状態に切り換える公知のクラッチ機構２０が配設されている。クラッチ機構２０は、スプール５Ａの後方側の左右側板１Ａ，１Ｂ間に配設されたクラッチ切り換え操作部材２１を押し下げ操作することで、クラッチＯＮ状態（動力伝達状態であり釣糸巻き取り状態）からクラッチＯＦＦ状態（動力遮断状態であり釣糸放出状態）に切り換えるようになっている。なお、クラッチＯＦＦ状態からクラッチＯＮ状態への復帰は、後記する自動復帰機構３０（図２参照）によってハンドル８を回転操作することで行うことが可能である。なお、右カバー部材３ｂに詳細は後記する。
【００２２】
駆動力伝達機構１０は、ハンドル８のハンドル軸８ａにドラグ装置８ｂと関連して装着された駆動歯車１１と、この駆動歯車１１に噛合するピニオン１２とを備えている。駆動歯車１１は、釣糸巻き取り時にハンドル８が回転操作されると、図２中Ｘ１方向（時計回り）に回転する。また、駆動歯車１１は、ドラグ装置８ｂにより付与されたドラグ力に抗して釣糸Ｓが引き出された際に、図２中Ｙ１方向（反時計回り）に回転するようになっている。
ハンドル軸８ａは、公知のように、右カバー部材３ｂに設けられた一方向クラッチ（楔作用を利用した転がり式一方向クラッチ）Ｋにより、釣糸巻き取り方向の回転を許容し、釣糸繰り出しに伴う逆回転を防止する逆回転防止機構を構成している。
【００２３】
ピニオン１２は、スプール軸５と同軸上に設置されており、ピニオン軸１２ａに沿って軸方向に移動可能となっている。なお、図示しないが公知のように、ピニオン軸１２ａを削除して、スプール軸５をピニオン１２に挿通するまで延設して延設部５Ｂを一体形成し、ピニオン１２がスプール軸５の延設部５Ｂ上を軸方向に移動可能に構成してもよい。また、ピニオン１２の外周には、円周溝１２ｂが形成されており、この円周溝１２ｂに、後記するクラッチ機構２０のヨーク２２（図２参照）が係合して、ピニオン１２を軸方向に移動させるように構成されている。すなわち、ピニオン１２が軸方向に移動することで、スプール軸５との間で継脱がなされ、動力伝達状態（クラッチＯＮ）／動力遮断状態（クラッチＯＦＦ）に切り換えられるように構成されている。
【００２４】
クラッチ機構２０は、図２に示すように、右フレーム２ｂに対して回動可能に支持されるクラッチプレート２５を備えている。クラッチプレート２５は、振り分けバネ２３によって、図２に示す動力伝達状態（クラッチＯＮ状態）と、動力遮断状態（クラッチＯＦＦ状態、不図示）に振り分け保持される。クラッチプレート２５は、右フレーム２ｂに上下方向に形成された連結孔２ｄを介して操作部材２１と連結されており、クラッチプレート２５に形成された長孔２５ａに、右フレーム２ｂに突出するように設けられたピン２ｅが挿入されて、その回動駆動が案内される。
【００２５】
クラッチプレート２５の表面には、一対のカム面２６が形成されている。一対のカム面２６は、ピニオン１２の円周溝１２ｂ（図１参照）に係合したヨーク２２と係合可能である。ヨーク２２の先端側は、右フレーム２ｂに突設された支持ピン２７によって保持されており、ヨーク２２は、支持ピン２７に配設されたバネ部材２７ａによって常時、スプール軸５側に付勢されている。なお、図２では、ヨーク２２がバネ部材２７ａによってスプール軸５側に付勢された状態を示しており、このとき、ピニオン１２はスプール軸５の端部に形成されている係合部５ａ（図１参照）に嵌合してクラッチＯＮ状態となっている。
【００２６】
クラッチプレート２５は、操作部材２１が押下げ操作されると反時計回り方向に回動する。クラッチプレート２５は、この回動により、カム面２６およびヨーク２２を介して、ピニオン１２（図１参照）を右側にバネ部材２７ａの付勢力に抗して移動し、スプール軸５の端部に形成されている係合部５ａ（図１参照）から離脱させ、クラッチＯＦＦ状態に切り換える。なお、この状態は、振り分けバネ２３によって保持される。
【００２７】
また、クラッチプレート２５には、図２に示すように、クラッチをＯＦＦ状態からクラッチＯＮ状態にする自動復帰機構２００のキック部材２０１が揺動可能に連結されている。自動復帰機構２００は、キック部材２０１と、ハンドル軸８ａに回り止め固定されるラチェット２０２とを備えている。キック部材２０１は、クラッチＯＮ状態からクラッチＯＦＦ状態に切り換えられると、ラチェット２０２の回転軌道内に侵入する。このため、クラッチＯＦＦ状態において、ハンドル８を巻き取り操作すると、ラチェット２０２の回転によりキック部材２０１はキックされて上方に移動し、自動的にクラッチプレート２５を（時計回り方に回転して）クラッチＯＮ状態に復帰させる。クラッチＯＮ状態は振り分けバネ２３のバネ力で保持される。なお、クラッチの復帰は、操作部材２１の押し上げ操作でも行うことが可能である。
【００２８】
左右側板１Ａ，１Ｂ間には、図１に示すように、スプール５Ａの釣糸繰出し方向側（前側）に、レベルワインド装置５０が配設されている。このレベルワインド装置５０には、釣糸Ｓが挿通される釣糸案内体６０が備わる。釣糸案内体６０は、ハンドル８を回転操作することで左右に往復動するよう構成されており、釣糸Ｓの巻き取り操作に伴って、スプール５Ａに対して釣糸Ｓを均等に巻回させる機能を有する。
【００２９】
釣糸案内体６０は、左右側板１Ａ，１Ｂ間に回動可能に支持される螺軸（ウォームシャフト）５１（図２参照）によって、左右往復駆動される。螺軸５１は、駆動力伝達機構１０により駆動される。螺軸５１は、左右側板１Ａ，１Ｂ間に回動可能に保持される案内筒（管状体）５５内に収容され、ハンドル８の回転駆動と同期して回転駆動される。
【００３０】
釣糸案内体６０は、図２に示すように、釣糸挿通部６０Ａと保持部６０Ｂを備えている。釣糸挿通部６０Ａは、図示しない固定ネジを締め付けることによって保持部６０Ｂに対して固定されている。釣糸案内体６０は、クラッチ機構２０の切換操作に連動して前後方向に回動する構成となっている。
【００３１】
回動プレート５９は、クラッチプレート２５に設けられた突片２５ｂに連結している。突片２５ｂは、舌片状を呈しており、クラッチプレート２５から前方の回動プレート５９に向けて延出している。突片２５ｂの先端には、右フレーム２ｂ側に向けて突出する係合突起２５ｃが一体形成されている。係合突起２５ｃは、回動プレート５９の連結片５９ａの係合孔５９ｂに遊挿されている。
これにより、回動プレート５９は、クラッチプレート２５の回動に伴って螺軸５１の軸芯を中心に回動可能であり、振り分けバネ２３によって、釣糸巻き取り状態と釣糸放出状態との２つの位置で切り換えられるようになっている。
【００３２】
釣糸案内体６０は、回動プレート５９を介して案内筒５５が回動駆動されることで、スプール５Ａの前方において前後方向に回動する。釣糸案内体６０には、左右幅広とされた釣糸挿通部６０Ａが備わる。釣糸挿通部６０Ａは、左右方向に幅狭（細溝状）とされた幅狭案内部６７と、その幅狭案内部６７の上方側で、略対称となるように左右方向に拡がる幅広案内部６８とを備えている。釣糸案内体６０は、クラッチＯＮ状態において後方へ回動し、上端後部６９で釣糸Ｓを抑えつつ幅狭案内部６７で釣糸Ｓを案内する。これによって、幅狭案内部６７を通して釣糸Ｓが巻き取られる。また、クラッチＯＦＦ状態において、釣糸案内体６０は前方へ回動し、幅広案内部６８で釣糸Ｓを案内する。これにより、釣糸放出時の糸抵抗が軽減されるようになっている。
【００３３】
右カバー部材３ｂには、図３（ａ）に示すように、軸部材としてのハンドル軸８ａが挿通されており、また、軸部材としてのピニオン軸１２ａの端部（またはスプール軸５の端部）が支持されている。図３（ｂ）に示すように、右カバー部材３ｂには、ハンドル軸８ａ（図３（ａ）参照）を支持する支持部３０１、およびピニオン軸１２ａの端部（またはスプール軸５の端部）を支持する支持部３０２が設けられている。
【００３４】
右カバー部材３ｂは、図４，図５に示すように、底面部３００と周壁部３１０とを備えている。右カバー部材３ｂの内面（内側面）となる底面部３００には、リブで囲われて肉抜き凹形状とされた複数の区画部３０３，３０４，３０５が形成されている（一部、底面部３００から周壁部３１０に亘って形成されている）。複数の区画部３０３，３０４，３０５のうち、区画部３０３は、支持部３０１の周りを囲むように配置されている。区画部３０３は、略長四角形状を呈しており、支持部３０１の放射方向に延びる第一リブ３０６と、支持部３０１と同心円上に延びる第二リブ３０７とで囲われて形成されている。第一リブ３０６および第二リブ３０７は、肉厚に形成されている。本実施形態では、第一リブ３０６および第二リブ３０７の肉厚が、右カバー部材３ｂの縁部（周縁部）の厚みと略同等に形成されている。
【００３５】
区画部３０４および区画部３０５は、支持部３０１の周りにおいて区画部３０３の周りに連続して複数形成されている。また、区画部３０４および区画部３０５は、支持部３０２の周りにおいても支持部３０２を囲むように複数形成されている。区画部３０４は、側面視で、略正六角形状を呈している。また、区画部３０５は、平面視で略長四角形状、略五角形状、略三角形状、一部に曲線部分を含んだ形状等、種々の形状を呈している。本実施形態では、支持部３０１および支持部３０２の周囲を埋めるように、適所適所のスペースに合わせた形状のものを配置している。なお、図５に示すように、周壁部３１０近傍に配置される区画部３０５は、周壁部３１０をリブの一部として形成されている。
【００３６】
区画部３０４および区画部３０５は、支持部３０１，３０２を中心としてそれぞれ放射方向に延びる第一リブ３１と、第一リブ３１に連続し、第一リブ３１と角度を有して延びる第二リブ３２と、を備えている。第一リブ３１，３１同士は、支持部３０１，３０２を中心としてそれぞれ放射方向に隣接する区画部３０４，３０５において、相互に離間して配置されている。つまり、放射方向に隣接する区画部３０４，３０５において、第一リブ３１，３１同士は連続して接続されておらず、第二リブ３２を介して接続されている。なお、右カバー部材３ｂの内面において、形状の異なる区画部３０５同士が放射方向やこれと交差する方向に隣接する部分においては、第一リブ３１，３１同士や第二リブ３２，３２同士が接続されていてもよい。
なお、支持部３０１の周りにおいて、区画部３０３の第一リブ３０６は、第二リブ３０７を介して隣接する区画部３０４の第一リブ３１に接続されている。
【００３７】
本実施形態では、右カバー部材３ｂの周壁部３１０（図５において立ち上がる部分）を除いて、右カバー部材３ｂの略全面に区画部３０３，３０４，３０５を形成している。なお、前記した第一リブ３０６，第二リブ３０７，第一リブ３１および第二リブ３２は、いずれも側方へ向けて（右フレーム２ｂへ向けて、成形時に型を抜く方向へ向けて）立設されている。
【００３８】
支持部３０１は大径の円筒状を呈しており、その内面には、図５に示すように、前記した一方向クラッチＫが装着されている。ハンドル軸８ａ（図１参照）は、一方向クラッチＫを介して支持部３０１に支持されている。
【００３９】
支持部３０２は小径の円筒状を呈しており、その内面には、軸受またはカラーＪが装着されている。軸受またはカラーＪは、ピニオン軸１２ａの端部またはピニオン１２を挿通するスプール軸５の端部に一体形成した延設部５Ｂを支持する部材である。支持部３０２の開口内面には、図４，図５に示すように、支持部材３１２が装着されている。支持部材３１２は、前記した軸受またはカラーＪを脱落不能に保持している。
【００４０】
支持部３０２の縁部には、略半円形状を呈する一対の区画部３０９，３０９が形成されている。この区画部３０９，３０９は、図２で説明したヨーク２２のバネ部材２７ａ，２７ａに対向しており、右フレーム２ｂに右カバー部材３ｂを取り付けた際に、バネ部材２７ａ，２７ａの端部を保持する役割をなす。
【００４１】
また、支持部３０２の近傍部位には、長丸筒状の突出部３３０が形成されている。突出部３３０は、図２で説明したクラッチプレート２５の基部２５ｅに対向して突出しており、右フレーム２ｂに右カバー部材３ｂを取り付けた際に、基部２５ｅに当接してクラッチプレート２５の摺動を案内する役割をなす。なお、突出部３３０には、図４に示すように、周辺に形成された３つのリブ３５が接続されている。突出部３３０は、右カバー部材３ｂを補強するリブとしても機能している。
【００４２】
周壁部３１０の縁部には、図４，図５に示すように、右フレーム２ｂに右カバー部材３ｂを固定するための固定部３４１、位置決め突部３４２、およびフランジ部３４３が設けられている。固定部３４１は周壁部３１０に二箇所設けられており、固定用ねじ３４５（図３（ａ）参照）が挿通される。位置決め突部３４２は、右フレーム２ｂ側に設けられた凹部（不図示）に嵌合可能であり、右フレーム２ｂに対する右カバー部材３ｂの位置決め部として機能する。フランジ部３４３には、固定用ねじ３４５（図３（ａ）参照）が挿通される。
【００４３】
図６（ａ）は図４のＡ−Ａ線拡大端面図である。図６（ａ）に示すように、本実施形態では、第二リブ３２が形成される部分の右カバー部材３ｂの厚みをＤ１、右カバー部材３ｂの縁部（周壁部３１０）の厚みをＤ２、区画部３０４の底部の厚みをＤ３としたときに、これらの関係が、Ｄ１＞Ｄ２＞Ｄ３となる関係を有するように設定されている。これにより、第二リブ３２（第一リブ３１）が形成される部分の厚みＤ１が、右カバー部材３ｂにおける最大の肉厚部となっている。つまり、支持部３０１および支持部３０２が形成される右カバー部材３ｂの底面部３００が、他の部分よりも肉厚を有するように形成された第一リブ３１や第二リブ３２によって、強度が十分に高められた構造となっている。
【００４４】
また、区画部３０４や区画部３０５の深さＤＨは、右カバー部材３ｂの基準肉厚に対して２０〜５０％であることが好ましい。基準肉厚とは、右カバー部材３ｂに一般に要求される所定強度を備えるための肉厚であり、図６（ｂ）に示すように、前記した厚みＤ２に相当する厚みＤ２１を備えて形成されるカバー部材３ｂ１の肉厚である。深さＤＨが基準肉厚の２０％未満であると、軽量化の程度が低くなりすぎる傾向にある。５０％超であると、右カバー部材３ｂの強度が低くなる傾向にある。そのため、区画部３０４や区画部３０５にかかる応力を分散し難くなる。したがって、深さＤＨを右カバー部材３ｂの基準肉厚に対して２０〜５０％に設定することにより、強度および成形性の向上を図りながら、軽量化の実現を図ることが可能である。
【００４５】
また、第一リブ３１および第二リブ３２の幅Ｗ１は、右カバー部材３ｂの基準肉厚に対して５０〜８０％であることが好ましい。幅Ｗ１が基準肉厚の５０％未満であると、右カバー部材３ｂの強度が低くなる傾向にある。そのため、区画部３０４や区画部３０５にかかる応力を分散し難くなる。８０％超であると、軽量化の程度が低くなりすぎる傾向にある。したがって、幅Ｗ１を右カバー部材３ｂの基準肉厚に対して５０〜８０％に設定することにより、強度および成形性の向上を図りながら、軽量化の実現を図ることが可能である。
【００４６】
以上説明した本実施形態の魚釣用リールによれば、第一リブ３１等によって囲われる複数の区画部３０３，３０４，３０５によって、支持部３０１，３０２の周りの強度を確保することができる。また、支持部３０１，３０２の周りの強度を確保することができるので、右カバー部材３ｂを薄肉に形成することができる。この場合、右カバー部材３ｂの内面の略全体に区画部３０３，３０４，３０５を形成することによって、右カバー部材３ｂの薄肉化をより効果的に図ることができる。したがって、カバー部材３ｂの強度および成形性の向上を図りながら、軽量化の実現を図ることができる魚釣用リールが得られる。
また、隣接する区画部３０４（３０５）において、リブを構成する第一リブ３１，３１同士は、離間配置されており、第二リブ３２を介して接続されている。これにより、支持部３０１，３０２を中心とする放射方向に応力を好適に分散することができる。したがって、右カバー部材３ｂの強度の低下を好適に防止することができる。
したがって、
【００４７】
また、右カバー部材３ｂが合成樹脂で形成されているので、リブで囲われる複数の区画部３０３，３０４，３０５によって、成形収縮によるヒケ（凹み、窪み）の発生を好適に抑制することができる。
【００４８】
また、支持部３０１，３０２によって、ハンドル軸８ａおよびピニオン軸１２ａの端部またはスプール軸５の端部を右カバー部材３ｂに好適に支持することができるので、操作性の向上を図ることができる魚釣用リールが得られる。
【００４９】
また、第一リブ３１（第二リブ３２）が形成される部分の右カバー部材３ｂの厚みＤ１、右カバー部材３ｂの縁部の厚みＤ２、区画部３０４，３０５の底部の厚みＤ３の関係が、Ｄ１＞Ｄ２＞Ｄ３であるので、第一リブ３１（第二リブ３２）が存在する箇所を、第一リブ３１（第二リブ３２）の厚み分だけ厚肉とすることができるので、右カバー部材３ｂを全体的に薄肉に形成しつつ、強度を確保することができる。また、右カバー部材３ｂの成形時に溶湯が他の部位に比して厚肉な第一リブ３１（第二リブ３２）によって容易に流動し、成形性が向上する。また、第一リブ３０６，第二リブ３０７においても、肉厚に成形されているので、成形時に溶湯が容易に流動する。これにより、成形性が向上する。
【００５０】
また、区画部３０４，３０５の深さＤＨを、右カバー部材３ｂの基準肉厚の２０〜５０％、第一リブ３１（第二リブ３２）の幅Ｗ１を、右カバー部材３ｂの基準肉厚の５０〜８０％とすることで、支持部３０１，３０２の周りの強度が増大するので、右カバー部材３ｂの変形をより好適に抑制することができる。
【００５１】
以上、本発明の実施形態について説明したが、本発明は、上記した実施形態に限定されることはなく、種々変形することが可能である。
例えば、前記実施形態では、右カバー部材３ｂの底面部３００の略全体に区画部３０３〜３０５を形成したが、これに限られることはなく、支持部３０１，３０２の周りに部分的に形成してもよい。また、区画部３０３〜３０５の形状は、リブの作用によって強度の向上を図ることができるものであれば、種々の形状のものを採用することができる。
【００５２】
また、前記実施形態では、右カバー部材３ｂに区画部３０３〜３０５を形成したが、これに限られることはなく、左カバー部材３ａに対して区画部を設けてもよい。このようにすることで、左カバー部材３ａの強度を向上させることができ、魚釣り操作性の向上を図ることができる。
【００５３】
また、前記実施形態では、両軸受け型の魚釣用リールについて本発明を適用した例を説明したが、これに限られることはなく、魚釣用スピニングリールについて本発明を適用してもよい。この場合、魚釣用スピニングリールのリール本体に取り付けられるカバー部材としての蓋体の内面に、複数の区画部を設ける。この場合にも、蓋体に支持されるハンドル軸の支持強度を向上させることができ、強度および成形性の向上を図りながら、軽量化の実現を図ることが可能である。
【００５４】
また、右カバー部材３ｂは、合成樹脂製としたが、金属製、例えば、アルミニウム系合金、チタン系合金、マグネシウム系合金等によって形成してもよい。
【符号の説明】
【００５５】
１      リール本体
３ａ    左カバー部材
３ｂ    右カバー部材
８ａ    ハンドル軸
１２ａ  ピニオン軸
３１    第一リブ
３２    第二リブ
３０１  支持部
３０２  支持部
３０３  区画部
３０４  区画部
３０５  区画部
３０６  第一リブ
３０７  第二リブ
Ｄ１    カバー部材の厚み
Ｄ２    カバー部材の縁部の厚み
Ｄ３    区画部の底部の厚み
ＤＨ    区画部の深さ
Ｗ１    リブの幅
Ｓ      釣糸
【図１】
2016208860.tif 000003
【図２】
2016208860.tif 000004
【図３】
2016208860.tif 000005
【図４】
2016208860.tif 000006
【図５】
2016208860.tif 000007
【図６】
2016208860.tif 000008